(57)【要約】  【課題】  特定の日付を指定するのみで記録番組等が自動再生され、煩瑣な再生操作が不要になる利便性に優れたディスク装置を提供する。  【解決手段】  ユーザーデータエリヤに記録される映像・音声情報の管理情報をリードインエリヤに記録するディスク式情報記憶媒体の記録情報を再生するディスク装置において、前記ディスク式情報記憶媒体の情報記録・再生に関した指令や情報を入力する入力手段と、この入力手段から特定日付を指定した映像・音声情報の再生指令があると、前記ディスク式情報記憶媒体の管理情報から当該指定日における記録の有無を判別し、記録が有るときはその記録時刻の早い順に再生を開始させる制御を行う制御手段１８と、を備えた。【選択図】      図  １
2006244596.tif 000002
【特許請求の範囲】
【請求項１】
ユーザーデータエリヤに記録される映像・音声情報の管理情報をリードインエリヤに記録するディスク式情報記憶媒体の記録情報を再生するディスク装置において、
前記ディスク式情報記憶媒体の情報記録・再生に関した指令や情報を入力する入力手段と、
この入力手段から特定日付を指定した映像・音声情報の再生指令があると、前記ディスク式情報記憶媒体の管理情報から当該指定日における記録の有無を判別し、記録が有るときはその記録時刻の早い順に再生を開始させる制御を行う制御手段と、を備えたディスク装置。
【請求項２】
前記映像・音声情報の内容やプレイリストの編集内容等を表示する表示手段を備え、前記入力手段から特定日付を指定した再生指令があると、前記制御手段が記録の有無を判別し、記録が無いときはその旨を前記表示手段に表示させ、記録が有るときはその記録時刻の早い順に並べ換えてプレイリストを生成編集し、かつこの再生順を前記表示手段に表示して再生を開始させることを特徴とする請求項１に記載のディスク装置。
【請求項３】
前記ディスク式情報記憶媒体よりも記録容量が大きい書換型ディスク式情報記憶媒体に、前記映像・音声情報を更新記録するディスクドライバを備え、前記入力手段から前記ディスク式情報記憶媒体への記録指令があると、前記制御手段が前記ディスクドライバを制御して前記書換型ディスク式情報記憶媒体の記録情報を検索し、当該指定日における記録時刻の早い順で映像・音声情報を前記ディスク式情報記憶媒体に記録させる制御を行うことを特徴とする請求項１または２に記載のディスク装置。
【発明の詳細な説明】
【技術分野】
【０００１】
本発明は、ＤＶＤ(Digital Versatile Disc)等に記録された  映像・音声情報（ＡＶ情報）の再生順を制御するディスク装置に係り、特に、記録時の日時情報に基づいてＡＶ情報を効率よく再生し得るディスク装置に関する。
【背景技術】
【０００２】
映像情報や音声情報を情報記録媒体に記録した後、効率よく再生することを目的とした電子機器が各種提案されており、その一例として、記録画像情報の検索装置および方法が知られている（例えば、特許文献１参照）。
【０００３】
このものは、ＶＴＲに適用されたもので、メインマイコンがメカマイコンおよび表示マイコンを制御して情報を再生するようになっている。
【０００４】
すなわち、メカマイコンは、メモリカセットから日付情報とその日付情報に対応したトラック番号等を取り出す。そして、この取り出された日付情報を表示ICに伝送し、モニタに表示させる。
【０００５】
この表示情報に基づいて、ユーザーがリモコンの操作により所望の画像データに対応する日付情報を選択すると、メカマイコンは、その日付情報に応じたトラック番号までメモリカセットの走行制御を行い、所望の画像データをモニタに再生表示させる。
【０００６】
これにより、録画された日付が一覧表示されるので、従来のようにユーザーがインディックスを打ち込む必要なく、所望の画像をモニタで見ることができるというものである。
【特許文献１】特開平９−６３２５０号公報また、複数のオーディオデータの時系列的な再生を手軽に行うことを目的としたオーディオ信号の再生装置が提案されている（例えば、特許文献２参照）。この再生装置は、TOCエリヤにオーディオデータの記録日時の情報を記録した媒体を用いる。そして、複数のオーディオデータをこのTOCエリヤの記録日時の情報に従って選択的に再生するようになっている。これにより、媒体の所定領域以上の記録情報から、例えば、記録日時の古い順、新しい順および指定された記録日時の順で再生が可能になる。
【特許文献２】特開平６−１０３７３７号公報また、多言語に対応したテキスト検索が可能な光ディスク、光ディスク記録装置および光ディスク再生装置も提案されている（例えば、特許文献３参照）。このものは、光ディスクに動画を記録する際、テキストデータを記録するとともに、必須テキストデータとして録画開始日時、終了日時、ソース名あるいはチャンネル番号を録画の単位のプログラムあるいはセル毎に英数字で記録する。その他のテキストデータに関しては言語コードとともに記録するようになっている。これにより、再生時にテキストデータの言語が種々存在していたとしても、ビデオデータを選択するための必須テキストデータが英数字で表現されるため、言語に関係なく再生するプログラムあるいはセルを選択することができ、さらに、装置の言語コードと同一の言語コードのテキスト情報に対する検索を行うことができるというものである。
【特許文献３】特開２００２−１９７８４０号公報
【発明の開示】
【発明が解決しようとする課題】
【０００７】
ところで、上記特許文献１の再生装置は、録画された日付を一覧表示させてから、リモコンの操作により日付情報を選択する必要があるため、直ぐに再生画像を見ることができず、やはり、煩瑣な操作を伴うという問題が残されていた。
また、特許文献２の再生装置は、記録日時の古い順、新しい順および指定された記録日時の順に再生できるが、複数のオーディオデータをTOCエリヤの記録日時の情報に従って選択的に再生させる必要があるため、操作の簡略化には限界があった。
さらに、特許文献３の光ディスク記録・再生装置も、再生時は所定の操作を行う必要があり、自動的に再生を開始させるものではないので、煩瑣な操作を伴ううえに直ぐに再生画像を見ることもできなかった。
本発明は、上記課題に鑑みてなされたもので、特定の日付を指定するのみで記録番組等が自動再生され、煩瑣な再生操作が不要になる利便性に優れたディスク装置を提供することを目的としている。                 
【課題を解決するための手段】
【０００８】
上記目的を達成するため、本発明は、ユーザーデータエリヤに記録される映像・音声情報の管理情報をリードインエリヤに記録するディスク式情報記憶媒体の記録情報を再生するディスク装置において、前記ディスク式情報記憶媒体の情報記録・再生に関した指令や情報を入力する入力手段と、この入力手段から特定日付を指定した映像・音声情報の再生指令があると、前記ディスク式情報記憶媒体の管理情報から当該指定日における記録の有無を判別し、記録が有るときはその記録時刻の早い順に再生を開始させる制御を行う制御手段と、を備えたことを特徴としている。
また、前記映像・音声情報の内容やプレイリストの編集内容等を表示する表示手段を備え、前記入力手段から特定日付を指定した再生指令があると、前記制御手段が記録の有無を判別し、記録が無いときはその旨を前記表示手段に表示させ、記録が有るときはその記録時刻の早い順に並べ換えてプレイリストを生成編集し、かつこの再生順を前記表示手段に表示して再生を開始させることを特徴としている。
また、前記ディスク式情報記憶媒体よりも記録容量が大きい書換型ディスク式情報記憶媒体に、前記映像・音声情報を更新記録するディスクドライバを備え、前記入力手段から前記ディスク式情報記憶媒体への記録指令があると、前記制御手段が前記ディスクドライバを制御して前記書換型ディスク式情報記憶媒体の記録情報を検索し、当該指定日における記録時刻の早い順で映像・音声情報を前記ディスク式情報記憶媒体に記録させる制御を行うことを特徴としている。
【発明の効果】
【０００９】
以上説明したように、本発明によるディスク装置は、入力手段から特定日付を指定した映像・音声情報の再生指令があると、ディスク式情報記憶媒体の管理情報から当該指定日における記録の有無を判別し、記録が有るときはその記録時刻の早い順に再生を開始させるので、従来の如く記録内容を表示させた後、特定日付の選択指令に従って再生を開始する場合のような煩瑣な操作が不要になるうえ、再生が迅速に開始されるから記録番組等を早く視聴できる効果がある。
また、入力手段から特定日付を指定した再生指令があると、記録が無いときはその旨を表示手段に表示させ、記録が有るときはその記録時刻の早い順に並べ換えてプレイリストを生成編集し、かつこの再生順を表示手段に表示して再生を開始させるので、ユーザーは表示内容を見て記録の有無を知り、記録情報については直ぐにプレイリストで確認できる利点がある。
また、入力手段からディスク式情報記憶媒体への記録指令があると、書換型ディスク式情報記憶媒体の記録情報を検索し、当該指定日における記録時刻の早い順で映像・音声情報を記録させるので、従来の如く特定日付の記録内容を表示させた後、その選択指令に従って記録を開始する場合のような煩瑣な操作が不要になる利点がある。
【発明を実施するための最良の形態】
【００１０】
以下、本発明のディスク装置の実施形態について、図面を参照しながら詳述する。
図１は本発明の一実施形態であるディスク装置の電気的構成を示すブロック線図である。
本実施形態のディスク装置は、ＤＶＤレコーダーに適用されたもので、テレビジョン放送番組の受信映像・音声信号を、ＭＰＥＧ（Moving Picture Experts Group）方式により圧縮符号化し、多重化したうえＭＰＥＧシステムのトランスポートストリーム（ＴＳ：Transport Stream）としてＨＤＤ内のハードディスク（ＨＤ）に更新記録し、この記録された映像・音声信号をＤＶＤに録画可能な構成となっている。
このＤＶＤは、リードインエリヤ、ユーザーデータエリヤおよびリードアウトエリヤからなり、ユーザーデータエリヤに、例えば、映画番組等の映像・音声情報（ＡＶ情報）が記録される。
このＤＶＤは、ユーザーデータエリヤにＡＶ情報をディジタルデータで書き込むとき、スパイラル状の記録トラックにおける細かなポイント(位置)を示すためのアドレスが予めふられている。このアドレスは、ＡＶ情報の最初の記録位置から最後の記録位置までの経過時間に対応している。
そして、リードインエリヤのＴＯＣ領域には、各チャプターおよび各タイトルの記録位置が、記録開始位置(タイトル番号１のチャブター１番目)からの経過時間情報に対応させたアドレスデータで記録されている。
よって、このＴＯＣ領域のデータが読み出されると、記録トラックのユーザーデータエリヤに記録された映画等のタイトル番号、チャプター番号、これらの記録開始および終了位置、さらに、詳細な記録時間等をモニタ１７の画面に表示可能である。
１はチューナであり、アンテナで受信されたテレビジョン放送の信号が導かれている。このチューナ１には、制御部１８の指令信号が導かれ、ＹＣ分離回路２とＡ／Ｄ変換回路７とが接続されている。
【００１１】
そして、図示省略したリモコンの入力操作に基づく制御部１８の指令により、選局されたチャンネルのコンポジット映像信号がＹＣ分離回路２に送出される一方、コンポジット音声信号がＡ／Ｄ変換回路７に送出される。
【００１２】
ＹＣ分離回路２には、ＮＴＳＣ（National Television System Committee）デコーダ３が接続されており、コンポジット映像信号を輝度信号と色差信号とに分離して、ＮＴＳＣデコーダ３に伝送する。
このＮＴＳＣデコーダ３は、輝度信号および色差信号をそれぞれＡ／Ｄ変換した後、さらに、クロマエンコード処理することにより、このＮＴＳＣデコーダ４からコンポーネント映像データを得るようになっている。
このＮＴＳＣデコーダ３には、プリ映像処理回路４を介してＭＰＥＧ映像エンコーダ５が接続されており、その映像データがプリ映像処理回路４に出力されると、プリフィルタリング処理された後、ＭＰＥＧ映像エンコーダ５およびポスト映像処理回路１３側に供給される。
ＭＰＥＧ映像エンコーダ５は、プリ映像処理回路４からの映像データに対してブロックＤＣＴ（Discrete Cosine Transform）などの符号化処理を施してから、映像エレメンタリストリーム（ＥＳ：Elementary Stream）を生成し、マルチプレクサ／デマルチプレクサ６に供給する。
一方、前記Ａ／Ｄ変換回路７には、ＭＰＥＧ音声エンコーダ８と出力切換回路１５とが接続されており、アナログのコンポジット音声信号をディジタル音声データに変換して、ＭＰＥＧ音声エンコーダ８および出力切換回路１５に送出する。
ＭＰＥＧ音声エンコーダ８には、マルチプレクサ／デマルチプレクサ６が接続されており、Ａ／Ｄ変換回路７からのディジタル音声データをＭＰＥＧ方式によって圧縮符号化し、音声エレメンタリストリームを生成してマルチプレクサ／デマルチプレクサ６に供給する。
このマルチプレクサ／デマルチプレクサ６は、バッファコントローラ９に接続される一方、ＭＰＥＧ映像音声エンコーダ１２が接続されており、制御部１８の指令によって、記録モードまたは再生モード時のデータ処理を行う。
記録モード時には、マルチプレクサ／デマルチプレクサ６が、そのマルチプレクサでＭＰＥＧ映像エンコーダ５からの映像エレメンタリストリームと、ＭＰＥＧ音声エンコーダ８からの音声エレメンタリストリームおよび各種の制御信号を多重化し、ＭＰＥＧシステムのトランスポートストリームを生成して、バッファコントローラ９に送出する。
このバッファコントローラ９は、マルチプレクサ／デマルチプレクサ６から連続的に入力するトランスポートストリームを、ハードディスクドライブ１０に送出する。
この際、バッファコントローラ９は、トランスポートストリームを一時的に蓄積しつつ送出処理するので、途切れることなくハードディスクドライブ１０に供給される。
このハードディスクドライブ１０には、制御部１８の指令信号が導かれており、出力がディスクドライブ１１に接続されている。
【００１３】
このハードディスクドライブ１０は、制御部１８の記録指令に応じてＨＤにトランスポートストリームを書き込んで更新記録し、再生指令に従って記録情報を再生しつつディスクドライブ１１に供給する。
このディスクドライブ１１には、ディスク（ＤＶＤ）が挿入セットされ、制御部１８の指令に従って、ＤＶＤにトランスポートストリームを記録させる。
これにより、ＨＤに長時間にわたって書き込まれた放送番組のうち、選択に応じＤＶＤに録画することができる。
【００１４】
一方、再生モード時は、制御部１８の再生指令に従って、ハードディスクドライブ１０がハードディスクからトランスポートストリームを読み出し、バッファコントローラ９に送出する。
【００１５】
このバッファコントローラ９は、記録モード時とは逆に、ハードディスクドライブ１０がハードディスクから断続的に入力するトランスポートストリームを、連続的なトランスポートストリームに変換し、マルチプレクサ／デマルチプレクサ６に供給する。
【００１６】
このマルチプレクサ／デマルチプレクサ６は、そのデマルチプレクサで連続的なトランスポートストリームのヘッダを解析処理することにより、トランスポートストリームからＰＥＳ（Packetized Elementary Stream）が分離されて、ＭＰＥＧ映像音声エンコーダ９に送出される。
このＭＰＥＧ映像音声エンコーダ１２には、ポスト映像処理回路１３と出力切換回路１５とが接続されており、前記ＰＥＳを映像エレメンタリストリームと音声エレメンタリストリームとに分離する。
さらに、映像エレメンタリストリームが、そのＭＰＥＧ映像エンコーダにより複合化されて、ベースバンドの映像データに変換される一方、その音声エレメンタリストリームが、ＭＰＥＧ音声エンコーダにより複合化されて、ベースバンドの音声データにそれぞれ変換される。
そして、変換後の映像データが、ポスト映像処理回路１３に送出される一方、音声データが出力切換回路１５に送出される。
ポスト映像処理回路１３には、図示省略したＯＳＤ（On Screen Display）回路が接続されており、制御部１８の指令に従って、ＭＰＥＧ映像音声エンコーダ１２からの映像データおよびプリ映像処理回路４からの映像データに対し、両者の切り換え、または合成やポストフィルタリング処理などを施す。
また、このポスト映像処理回路１３は、ＧＵＩ（Graphical UserInterface）用に代表画面を生成し、複数の代表画面を縮小してウインドウに貼り付ける処理を施し、処理後の映像データをＯＳＤ回路に供給する。
このＯＳＤ回路は、制御部１８の指令によりテキスト情報等に対応する画像データを生成し、ポスト映像処理回路１３からの映像データの前記ウインドウ部分の映像データに重畳する処理を施し、処理後の映像データをＮＴＳＣエンコーダ１４に送出する。
このＮＴＳＣエンコーダ１４は、ＯＳＤ回路からのコンポジット映像データを、輝度データと色差データとに変換したうえ、あるいは無変換でＤ／Ａ変換することにより、アナログのセパレート映像信号およびコンポジット映像信号を生成する。
そして、このセパレート映像信号およびコンポジット映像信号は、出力端子を介しモニタ装置１７に供給する。
一方、出力切換回路１５には、Ｄ／Ａ変換器１６が接続されており、制御部１８の指令によって、ＭＰＥＧ映像音声エンコーダ１２からの音声データまたは、Ａ／Ｄ変換回路７からのディジタル音声データの何れかが選択的に取り出される。
また、この取り出された音声データは、Ｄ／Ａ変換器１６によりアナログの音声信号に変換されて、出力端子を介しモニタ装置１７に供給する。
このモニタ装置１７は、テレビジョン受像機であり、リモコン操作に基づく制御部１８の指令に従って、受信チャンネルのテレビジョン放送番組やＤＶＤの再生画像をその画面１７ａに映し出し、かつこれに同期して音声をスピーカから放音する。
なお、リモコンは、ＤＶＤレコーダーを操作するための各種操作キーを備えている。この操作キーとしては、一般のリモコンと同様、電源オン・オフ用のパワーキーやトレイ開閉用の開閉キー、また、テンキー、メニューキー、設定キー、決定キーおよびカーソルキー等を備えている。
メニューキーは、画面にメニュー（MENU）を表示させる指令を出力する。テンキーは、メニュー画面上で再生時における特定の日付を入力することができる。
カーソルキーは、機能キーを兼ねており、上下左右に配置された各キーにプレイ、ストップ、早送り、早戻し機能が割り当てられている。
制御部１８は、装置全体の動作を制御するマイクロコンピュータであって、前記回路各部とその機能に応じて一方向あるいは双方向性に接続されている。
この制御部１８は、リモコンからの指令信号に従って、受信チャンネルのテレビジョン放送番組をＤＶＤに記録させたり、ＨＤに更新記録している番組情報をＤＶＤへ記録させる。
一方、リモコンからの指令に応じてＤＶＤまたはＨＤの記録情報を再生し表示させる。
また、制御部１８は、メモリに文字情報を記憶しており、ＤＶＤやＨＤに記録情報が無いとき、メモリの文字情報をＯＳＤ回路に送出して、図２に示すような文字を表示させる。
さらに、リモコンから特定日付を指定した再生指令があると、ＤＶＤの記録時刻の早い順に並べ換えてプレイリストを生成編集し、かつこの再生順を図３に示す如く表示して自動再生させる制御を行う構成になっている。
次に、上記ＤＶＤレコーダーの動作について、図を参照しつつ説明する。
ここでは、ユーザーが録画時間の長い記録モードでテレビ放送番組を複数録画したＤＶＤと、記録済みか否か不明のＤＶＤを含めて多数枚を保持しており、これを再生する場合について説明する。
これらのＤＶＤをユーザーが再生する場合、ＤＶＤレコーダーに装着し、リモコンの操作により再生したい特定の日付を入力する。
これに伴い、制御部１８は再生系を動作させてＤＶＤの記録情報を読み取らせる。
ＤＶＤに記録がなされていれば、リードインエリヤにその記録番組のチャンネル、記録日時、記録モード等が録画ファイルで記録されている。
まず、リードインエリヤの管理情報が読み出されたとき、制御部１８は指定日付の録画ファイルが有るか否かを検索する。
ここで、録画ファイルが無いと、制御部１８は指定日付の記録がないと判断し、図２に示すように、モニタ装置１７の画面に「ご指定日の記録はありません。」という文字を大きく表示させる。これにより、ユーザーは、このＤＶＤに所望日付の録画がされていなかったことを知ることができる。
一方、録画ファイルが有るとき、それが複数ファイルであると、制御部１８は録画時間の早い順でサーチする。そして、時刻の早い順に図３のようなプレイリストを生成編集する。
このプレイリストは、○年○月○日における記録時刻の早い順で、１番目に放送番組“Ａ”が、 ２番目に放送番組“Ｂ”が、 ３番目に放送番組“Ｃ”が、４番目は無しといったように編集し、ワークメモリに登録する。
この後、制御部１８はプレイリストに従って再生を開始させる。この際、制御部１８がモニタ装置１７にワークメモリの情報を送出し、その画面に図３のようなプレイリストを表示させる。また、「○年○月○日の録画を再生します。という文字も表示させる。
これにより、ユーザーはプレイリストを見て指定日付の番組の概要を知りつつ、録画時刻の早い順に最初から聴視することができる。
ところで、ＨＤは容量や記録モードによるが、近時、１ヶ月から数ヶ月にわたる長期の連続記録が可能である。また、ＤＶＤも記録容量の大きいタイプが普及しつつある。
このため、ユーザーがある期間不在で特定日の放送をＤＶＤへ録画できなかった場合、更新記録されている放送番組をＨＤからＤＶＤに録画することが広く行われている。
本例では、ユーザーがリモコン操作により特定日の録画を指令すると、制御部１８が記録系を動作させて自動敵に録画を開始させる。
すなわち、この制御部１８の再生指令に応じて、ハードディスクドライブ１０が記録情報を再生しつつディスクドライブ１１にトランスポートストリームを供給する。
このディスクドライブ１１は、挿入セットされたＤＶＤにトランスポートストリームを記録させる。
よって、ＨＤに長時間にわたって書き込まれた放送番組のうち、指定日付のみを記録時刻の早い順でＤＶＤに録画することができる。
この際、制御部１８は記録時刻の早い順にプレイリストを生成編集し、それをモニタ装置１７の画面に表示させるので、ユーザーはこれを見ることにより、録画内容を容易に把握することができる。
これにより、１枚のＤＶＤにお正月やゴールデンウイークのある１日分を録画しておき、その中から任意の番組を聴視することもできる。
なお、ユーザーが続いて録画したい場合は、他のＤＶＤを挿入セットして日付指定すればよい。
【００１７】
なお、本発明は上記の各実施形態に限定されず、本発明の趣旨を逸脱しない範囲で、種々の変更が可能である。
【図面の簡単な説明】
【００１８】
【図１】本発明の一実施形態であるディスク装置の電気的構成を示すブロック線図である。
【図２】モニタに表示された記録情報の判別結果を示す画面図である。
【図３】モニタに表示されたプレイリストの編集例を示す画面図である。
【符号の説明】
【００１９】
１７    表示手段
１８    制御手段
【図２】
2006244596.tif 000003
【図３】
2006244596.tif 000004
【図１】
2006244596.tif 000005